(57)【要約】      （修正有）【課題】  小型モータであって、モータ軸と回転体との圧入面積を大きく保持し、且つ、合成樹脂にて成形されたブラケットが高温にて変形しても回転体がポンプケースの底板に接触するのを回避してポンプ作動が円滑に実行されるようにする。【解決手段】  揺動体２６は偏心回転軸３０を介してモータ３９の回転駆動する回転体２に偏心して設けられ、モータの回転駆動に連動して揺動し、揺動作用を受けてダイヤフラム２４が上下動してポンプ動作を行うように構成されたポンプで、モータケース４０にモータ軸３３の軸受４５を保持する円筒部４６が設けられ、且つ、軸受はモータ側略半部に嵌着されてポンプ側に空間部３が形成され、空間部の内径より外径が小径に形成された凸部２ａを記回転体に形成してモータ軸を固着し、且つ、回転体とポンプケース２２の底板２２ｄとの間に所定の距離を保持するように配設する。【選択図】図１
2008008274.tif 000002
【特許請求の範囲】
【請求項１】
中心部に偏心回転軸が固着された揺動体であって、該揺動体は該偏心回転軸を介してモータの回転駆動にて回転する回転体に偏心して設けられ、前記モータの回転駆動に連動して該揺動体が揺動し、該揺動体の揺動作用を受けてダイヤフラムが上下動してポンプ動作を行うように構成されたポンプにおいて、
前記モータを収納するモータケースにモータ軸の軸受を保持する両面開放の円筒部が設けられ、且つ、該軸受は該円筒部のモータ側略半部に嵌着されてポンプ側に空間部が形成され、該空間部の内径より外径が小径に形成された凸部を前記回転体に形成して該回転体の中心部に前記モータ軸を固着し、且つ、該回転体は該回転体の前記凸部を円筒部の前記空間部に臨ませて該凸部と円筒部との間及び大径部の回転体とポンプケースの底板との間に所定の距離を保持するように配設されたことを特徴とするポンプ。
【発明の詳細な説明】
【技術分野】
【０００１】
本発明はポンプに関するものであり、特に、小型ポンプであって、血圧計等に用いられ、且つ、ダイヤフラムの上下動にてポンプ作用を行うポンプに関するものである。
【背景技術】
【０００２】
従来の此種小型ポンプを図２及び図３に従って説明する。同図は何れも小型ポンプ２１の縦断面図である。図において該小型ポンプ２１は平面視長方形のポンプケース２２内にポンプ室２３，２３を形成する２個のダイヤフラム２４，２４が備えられ、該ダイヤフラム２４，２４の下部中心部には中空状取付体２５，２５が下方に突設して設けられ、該ダイヤフラム２４，２４の下方には、該ダイヤフラム２４，２４の下面を上下動させる揺動体２６が配設されている。尚、前記ポンプケース２２は上ケース２２ａと、中ケース２２ｂと、下ケース２２ｃの３段で構成され、前記ダイヤフラム２４，２４は該ダイヤフラム２４，２４の鍔部２４ａ，２４ａ…が前記上ケース２２ａと前記中ケース２２ｂとの間に挟持されて前記ポンプケース２２に保持されている。
【０００３】
そして、該揺動体２６の周辺部近傍であって、且つ、前記ダイヤフラム２４，２４の夫々の中心部下方に位置して、空気導入孔２７ａ，２７ａを有する軸体２７，２７が上方に突設して設けられ、該軸体２７，２７の外側面に前記ダイヤフラム２４，２４に設けた前記中空状取付体２５，２５の内側面が蜜嵌して前記揺動体２６に前記ダイヤフラム２４，２４が取付けられる。
【０００４】
又、前記ダイヤフラム２４，２４の底部中心部は一部が切開されて、吸気弁体２８，２８が形成されると共に、該切開によって貫通孔２９，２９が設けられ、該吸気弁体２８，２８により該貫通孔２９，２９を閉塞、開放可能にして吸気弁部Ｖ1 ，Ｖ1 が構成されている。
【０００５】
更に、前記揺動体２６の中心部には該揺動体２６を偏心回転により揺動させる偏心回転軸３０が貫通して固着される。そして、該揺動体２６の上方に前記中ケース２２ｂから延設されて延設部３１が設けられると共に、該延設部３１の下部に下方に開口する凹部３２が形成され、他方、前記下ケース２２ｃの下部側に配置された回転駆動軸３３上端に回転体３４が固着され、該回転体３４上部の中心位置から離間した位置に凹部３５が形成され、前記偏心回転軸３０の上端が前記凹部３２に遊嵌され、下端が前記凹部３５に遊嵌されている。
【０００６】
又、前記上ケース２２ａの中央部には排気孔３６が開穿され、且つ、該上ケース２２ａの下面部の該排気孔３６外周に該排気孔３６と連通する２個の下方に開口する環状凹溝３７，３７が設けられており、該環状凹溝３７，３７を形成する内壁面３７ａ，３７ａに前記ダイヤフラム２４，２４の上端部から成る排気弁体３８，３８を圧接させて排気弁部Ｖ2 ，Ｖ2 が構成されている。
【０００７】
而して、前記モータ軸３３の回転駆動により前記回転体３４が回転すると、該回転体３４に形成された前記凹部３５に下端が遊嵌している前記偏心回転軸３０が回転し、これによって前記揺動体２６が揺動し、前記ダイヤフラム２４，２４の下端部を上下動させる。そして、例えば、一方のダイヤフラム２４の下端部が下動された時、該ダイヤフラム２４内は負圧になり、前記排気弁体３８は前記環状凹溝３７の前記内壁面３７ａに密着し、即ち、前記排気弁部Ｖ2 は閉じ、且つ、前記吸気弁体２８は前記貫通孔２９を閉塞状態から開放し、即ち、前記吸気弁部Ｖ1 は開状態となり、前記空気導入孔２７ａから前記ダイヤ
フラム２４内へ吸気が行われる。
【０００８】
次に、前記ダイヤフラム２４の下端部が上動された時、前記ダイヤフラム２４内は高圧になり、前記吸気弁体２８が前記貫通孔２９を閉塞して前記吸気弁部Ｖ1 を閉状態にすると共に前記排気弁体３８が前記内壁面３７ａより拡径して前記排気弁部Ｖ2 による排気が行われる。該排気弁体３８内より排出された空気は前記環状凹溝３７を通り前記排気孔３６から前記ポンプケース２２外に排出されてポンプ作用が実行される。
【０００９】
而して、此種小型ポンプ２１は上述した構成及び機能を有するのであるが、前記ポンプケース２２とモータ３９のモータケース４０とは直接合着され、そして、該モータケース４０を底部に合成樹脂で成形されたブラケット４１の周縁部に立設し、該モータケース４０内側面に永久磁石４２を取付け、更に、内部にロータ４３を配設し、該ロータ４３の下端部に設けられているロータ軸４４を前記ブラケット４１の内側中心部の凹部に嵌合されている下部軸受４５に軸支し、更に、上端部に突設されている前記モータ軸３３が前記ポンプケース２２の底板２２ｄ中心部に設けた開孔２２ｅに嵌着した上下面開放の円筒部４６に嵌合された上部軸受４５ａを介して前記ポンプケース２２内に挿入され、そして、該モータ軸３３を前記回転体３４に固着すると云う構成が考定される。勿論、該回転体３４とポンプケース２２の底板２２ｄとの間には予め所定の距離Ｒを保持して該回転体３４がポンプケース２２内に配設される。（特許文献１参照）
【特許文献１】特開２００２−８９４５２
【発明の開示】
【発明が解決しようとする課題】
【００１０】
上記特許文献１記載の小型モータ２１であって、特に、前記ポンプケース２２とモータケース４０と合着して、各ケース内に各ポンプとモータとを配設し、そして、モータ軸３３を上部軸受４５ａに軸着して上方部をポンプケース２２内へ突設し、該突設部に平面視円形の回転体３４を該ポンプケース２２の底板２２ｄとの間に所定距離Ｒを保持させて該回転体３４がポンプケース２２内に配設される構成を採択している場合は、図３に示すように該小型ポンプ２１が高温での使用、又は、高温試験時に前記合成樹脂で成形されているブラケット４１が熱により下方へ湾曲変形し、そして、該ブラケット４１の変形によりモータ３９のロータ４３及びモータ軸３３が下降し、更に、該モータ軸３３に圧入固設されている前記回転体３４の底面がポンプケース２２の底板２２ｄに当接し、斯くして、ポンプ作用が停止してしまうと云う問題が生じる。
【００１１】
かかる問題を解消するためには該ブラケット４１を鉄板にて成形することも考えられるが、該ブラケット４１を合成樹脂で成形することにより、ローコストにて小型ポンプ２１を製造することができるのであり、新たに材質の変更、型の新規製作は徒らに原価上昇の要因となる。
【００１２】
又、前記回転体３４の厚みを薄くしてポンプケース２２の底板２２ｄとの接触を回避するように構成することも考えられるが、前記モータ軸３３との圧入面積が小さくなるため、モータ軸３３と回転体３４との圧入固定が劣化すると云う欠陥がある。
【００１３】
そこで、モータ軸と回転体との圧入面積を従前と同様に大きく保持し、且つ、合成樹脂にて成形されたブラケットが高温にて湾曲変形したとしても、回転体がポンプケースの
底板に接触することが回避されてポンプ作動が円滑に実行されるようにするために解決せられるべき技術的課題が生じてくるのであり、本発明は該課題を解決することを目的とする。
【課題を解決するための手段】
【００１４】
本発明は上記目的を達成するために提案されたものであり、中心部に偏心回転軸が固着された揺動体であって、該揺動体は該偏心回転軸を介してモータの回転駆動にて回転する回転体に偏心して設けられ、前記モータの回転駆動に連動して該揺動体が揺動し、該揺動体の揺動作用を受けてダイヤフラムが上下動してポンプ動作を行うように構成されたポンプにおいて、前記モータを収納するモータケースにモータ軸の軸受を保持する両面開放の円筒部が設けられ、且つ、該軸受は該円筒部のモータ側略半部に嵌着されてポンプ側に空間部が形成され、該空間部の内径より外径が小径に形成された凸部を前記回転体に形成して該回転体の中心部に前記モータ軸を固着し、且つ、該回転体は該回転体の前記凸部を円筒部の前記空間部に臨ませて該凸部と円筒部との間及び大径部の回転体とポンプケースの底板との間に所定の距離を保持するように配設されたポンプを提供するものである。
【００１５】
この構成によれば、合成樹脂で成形されたブラケットが高温で変形し、ロータ及びモータ軸が下降しても、回転体の凸部がモータケース上部の円筒部上部に形成されている空間部に落ち込んでロータ及びモータ軸の下降に基づく不具合を吸収し、該回転体がポンプケース底板に接触することが回避される。
【発明の効果】
【００１６】
本発明は合成樹脂で成形されているブラケットが高温にて変形し、ロータ及びモータ軸が下降しても、この下降による不具合は回転体の凸部がモータケースに形成されている円筒部の空間部に落ち込んで吸収するので、回転体はポンプケースの底板に接触することが回避できるためポンプ作動が停止することはない。斯くして、本発明の小型ポンプは可及的に小型であってコストダウンも期待できるとともに製品の信頼性及び品質性能も向上する。
【発明を実施するための最良の形態】
【００１７】
本発明は小型モータであって、モータ軸と回転体との圧入面積を大きく保持し、且つ、合成樹脂にて成形されたブラケットが高温にて変形しても回転体がポンプケースの底板に接触するのを回避してポンプ作動が円滑に実行されるようにすると云う目的を中心部に偏心回転軸が固着された揺動体であって、該揺動体は該偏心回転軸を介してモータの回転駆動にて回転する回転体に偏心して設けられ、前記モータの回転駆動に連動して該揺動体が揺動し、該揺動体の揺動作用を受けてダイヤフラムが上下動してポンプ動作を行うように構成されたポンプにおいて、前記モータを収納するモータケースにモータ軸の軸受を保持する両面開放の円筒部が設けられ、且つ、該軸受は該円筒部のモータ側略半部に嵌着されてポンプ側に空間部が形成され、該空間部の内径より外径が小径に形成された凸部を前記回転体に形成して該回転体の中心部に前記モータ軸を固着し、且つ、該回転体は該回転体の前記凸部を円筒部の前記空間部に臨ませて該凸部と円筒部との間及び大径部の回転体とポンプケースの底板との間に所定の距離を保持するように配設されたポンプを提供することによって実現した。
【実施例】
【００１８】
以下、本発明の好適な一実施例を図１に従って説明する。図において１は本発明の小型モータを示す。該小型モータ１と図２に示す小型モータ２１と共通する構成部分は同一符号を付し、その説明を省略するものとする。
【００１９】
本発明の小型モータ１と前記図２に示す小型モータ２１と相違する構成が本発明の要部である。そこで、本発明の特徴とする要部を詳述する。
【００２０】
図１において、回転体２は略下半部がモータケース４０の上部に設けられている円筒部４６の内径よりやや小径に形成されて成る凸部２ａが形成されている。
【００２１】
又、前記円筒部４６の略下半部の内部へ上部軸受４５ａが嵌合されており、そして、該上部軸受４５ａ上面に空間部３が形成される。前記回転体２の凸部２ａは該空間部３へ落ち込んだとき、該凸部２ａが円筒部４６の内壁面及び上部軸受４５ａへ接触することはない。又、回転体２は予め、前記凸部２ａが前記空間部３上面に配設され、そして、回転体２の上部大径部２ｂの底面とポンプケース２２の底板２２ｄとの間の距離は、図２に示す距離Ｒより少し大に維持して配設されている。
【００２２】
そこで、前記合成樹脂にて成形されたブラケット４１が高温によって変形し、ロータ４３及びモータ軸３３が下降しても、該モータ軸に圧入固設されている前記回転体２の前記凸部２ａがモータケース４０の前記円筒部４６上部に形成されている空間部３に落ち込み、そして、該回転体２の上部大径部２ｂの下面とポンプケース２２の底板２２ｄとの間の距離は従来予め設定されている所定距離Ｒ近傍を保つように構成される。斯くして、該回転体２が前記円筒部４６及び上部軸受４５ａ並びにポンプケース２２の底板２２ｄには一切接触することが回避できる。従って、本発明の小型ポンプ１は前述したように高温で前記合成樹脂成形のブラケット４１が変形しても、回転体がポンプケース等へ当接してポンプ作動が停止するようなことはなくなり、材料費の節減によりコストダウンを図れるとともに、製品の信頼性及び品質性能の向上も期待できる。
【００２３】
尚、本発明は、本発明の精神を逸脱しない限り種々の改変を為すことができ、そして、本発明が該改変されたものに及ぶことは当然である。
【図面の簡単な説明】
【００２４】
【図１】本発明の一実施の形態を示し、高温で合成樹脂で成形されたブラケットが変形したときの小型ポンプの縦断面図。
【図２】従来例を示し、小型ポンプの縦断面図。
【図３】合成樹脂で成形されたブラケットが変形したときの図２に示す小型ポンプの断面図。
【符号の説明】
【００２５】
１        小型ポンプ
２        回転体
２ａ      凸部
２ｂ      大径部
３        空間部
２２        ポンプケース
２４        ダイヤフラム
２６        揺動体
３０        偏心回転軸
３３        モータ軸
３９        モータ
４０        モータケース
４５        軸受
４６        円筒部
【図１】
2008008274.tif 000003
【図２】
2008008274.tif 000004
【図３】
2008008274.tif 000005